(57)【特許請求の範囲】
【請求項１】
花弁に金箔又は銀箔からなる装飾部が部分的に施されている鉢植え胡蝶蘭の製造方法であって、
前記金箔又は銀箔からなる装飾部は、その花弁の表面にスプレー糊を噴霧して薄膜状の接着剤層を形成した後に、前記接着剤層の上に前記金箔又は銀箔の小片を部分的に貼着させて形成すること、
前記金箔又は銀箔の小片は、人差し指又は中指の第１関節上部の指腹部表面に付着させてから前記接着剤層に貼着させることを特徴とする鉢植え胡蝶蘭の製造方法。
【請求項２】
請求項１に記載された鉢植え胡蝶蘭の製造方法において、
前記接着剤層の上に前記金箔又は銀箔の小片を部分的に貼着させた後に、前記金箔又は銀箔の上から速乾性のセット樹脂成分を含むヘアスプレーを噴霧して、前記接着剤層及び前記金箔又は銀箔を薄膜状の透明な速乾性の被覆層によって被覆することを特徴とする鉢植え胡蝶蘭の製造方法。
【発明の詳細な説明】
【技術分野】
【０００１】
本発明は、鑑賞性に優れた鉢植え胡蝶蘭及びその製造方法に関し、詳しくは、花弁に金箔又は銀箔等からなる装飾部を施した鉢植え胡蝶蘭及びその製造方法に関する。
【背景技術】
【０００２】
一般に、開店・開業祝い、新築祝い、当選祝い、又は結婚祝い等の贈り物として、鑑賞性に優れた鉢植え胡蝶蘭が多く用いられている。例えば、花を縦列状に複数個付けた茎部を並列に複数列配置した鉢植え胡蝶蘭は、見栄え的にも豪華であるとともに清楚かつ気品にあふれ、祝福の真心を相手方に伝える上で、好適な贈り物として、以前から好評を博している。
【０００３】
しかし、近年、鉢植え胡蝶蘭を代表とした鉢植え植物において、さらに鑑賞性を高めるべく、花の色を各種の染料や塗料で着色した着色花の鉢植え植物及びその着色方法が、例えば、特許文献１に開示されている。特許文献１に記載された着色花の鉢植え植物の着色方法は、図４に示すように、[１]ピペット１０１を準備するステップと、[２]ピペット１０１の先端１０２の外径に相当する直径を有する穴１０３を花１０６の茎部１０４に作るステップと、[３]ピペット１０１の先端１０２を茎部の穴１０３に挿入し、茎部１０４にピペット１０１を固定するステップと、[４]ステップ[１]、[２]、又は[３]のいずれか1つの後に、鉢植え植物１００に対して非毒性の着色液１０５を、ピペット１０１内に充填するステップと、[５]着色液１０５が鉢植え植物１００に吸収された後、ピペット１０１を取り除くステップとを含む方法である。上記着色方法によれば、ピペット１０１内に充填された着色液１０５が花１０６の茎部１０４内を上昇する樹液の流れによって自然に花１０６に取り込まれるという効果を奏することができる。
【先行技術文献】
【特許文献】
【０００４】
【特許文献１】特開２０１１−９７９３５号公報
【発明の概要】
【発明が解決しようとする課題】
【０００５】
しかしながら、上記着色方法を、例えば、白花の鉢植え胡蝶蘭に適用すれば、ピペットの先端を茎部の穴に挿入し、着色液を注入した茎部に付く花は、すべて当該着色料によって同一色に着色されることになる。そのため、白花の鉢植え胡蝶蘭の花が、人工的な花色に着色されるので、自然に咲いた花色（白花）によって醸し出す清潔感や気品の高さを保持しえないという問題があった。
また、上記着色方法では、花が所望の色を帯びるだけの量の着色料を花に吸収させるためには、少なくとも８時間、好ましくは約１２時間必要であり、顧客の注文に速やかに対応することが、困難であるという問題があった。
【０００６】
本発明は、上記問題点を解決するためになされたものであり、その目的は、鉢植え胡蝶蘭の特徴である清潔感や気品の高さを保持しつつ、さらに豪華さを備えた鉢植え胡蝶蘭、及びその鉢植え胡蝶蘭を短時間で製造できる製造方法を提供することである。
【課題を解決するための手段】
【０００７】
上記課題を解決するために、本発明に係る鉢植え胡蝶蘭及びその製造方法は、次のような構成を有している。
（１）鉢植え胡蝶蘭であって、その花弁には、金箔又は銀箔からなる装飾部が部分的に施されていることを特徴とする。
【０００８】
本発明においては、鉢植え胡蝶蘭であって、その花弁には、金箔又は銀箔からなる装飾部が部分的に施されているので、自然に咲いた花の色をそのまま生かすことによって、鉢植え胡蝶蘭の特徴である清潔感や気品の高さを保持させることができる。また、その花弁には、金箔又は銀箔からなる装飾部が部分的に施されているので、金箔又は銀箔が醸し出す豪華さを、鉢植え胡蝶蘭の特徴である清潔感や気品の高さと調和させながら、鉢植え胡蝶蘭の花に付加させることができる。
よって、本発明によれば、鉢植え胡蝶蘭の特徴である清潔感や気品の高さを保持しつつ、さらに豪華さを備えた鉢植え胡蝶蘭を提供することができる。
【０００９】
なお、白花の鉢植え胡蝶蘭であって、その花弁には、金箔又は銀箔からなる装飾部が部分的に施されていることによって、白花の清潔感や気品の高さと金箔又は銀箔の豪華さとを、より一層調和させることができる。
【００１０】
（２）（１）に記載された鉢植え胡蝶蘭において、
前記金箔又は銀箔からなる装飾部は、前記金箔又は銀箔が前記花弁の表面に形成された薄膜状の接着剤層を介して前記花弁の表面に貼着されていることを特徴とする。
【００１１】
本発明においては、金箔又は銀箔からなる装飾部は、金箔又は銀箔が花弁の表面に形成された薄膜状の接着剤層を介して花弁の表面に貼着されているので、大小様々な金箔又は銀箔を接着剤層に複数枚貼着させることによって、花弁の表面に金箔又は銀箔からなる装飾部を任意の大きさに形成することができる。そのため、金箔又は銀箔からなる装飾部の大小を、用途や顧客のニーズに応じて、自由に変更させることができる。
【００１２】
また、金箔又は銀箔からなる装飾部の大小を、用途や顧客のニーズに応じて変化させても、大小様々な金箔又は銀箔を接着剤層に複数枚貼着させることによって、花弁の表面に金箔又は銀箔からなる装飾部を任意の大きさに形成することができるのであるから、予め金箔又は銀箔を所定の大きさに切断しておく必要がなく、簡便である。例えば、一般に市販されている食用又は装飾用のケースに入った大小様々な金箔又は銀箔をそのまま適用することができる。
【００１３】
（３）（１）又は（２）に記載された鉢植え胡蝶蘭において、
前記金箔又は銀箔からなる装飾部は、前記金箔又は銀箔が薄膜状の透明な速乾性の被覆層によって保護されていることを特徴とする。
【００１４】
本発明においては、金箔又は銀箔からなる装飾部は、金箔又は銀箔が薄膜状の透明な速乾性の被覆層によって保護されているので、例えば、出荷後の移送中や観賞中において、金箔又は銀箔が花弁から離脱する恐れを回避できる。そのため、鉢植え胡蝶蘭の特徴である清潔感や気品の高さを保持しつつ、さらに豪華さを備えた状態を、長期間維持することができる。
【００１５】
（４）花弁に金箔又は銀箔からなる装飾部が部分的に施されている鉢植え胡蝶蘭の製造方法であって、
前記金箔又は銀箔からなる装飾部は、その花弁の表面にスプレー糊を噴霧して薄膜状の接着剤層を形成した後に、前記接着剤層の上に前記金箔又は銀箔の小片を部分的に貼着させて形成することを特徴とする。
【００１６】
本発明においては、金箔又は銀箔からなる装飾部は、その花弁にスプレー糊を噴霧して薄膜状の接着剤層を形成した後に、接着剤層の上に金箔又は銀箔の小片を部分的に貼着させて形成するので、自然に咲いた花の色をそのまま生かすことによって、鉢植え胡蝶蘭の特徴である清潔感や気品の高さを保持させることができる。また、その花弁にスプレー糊を噴霧して薄膜状の接着剤層を形成するので、花弁を傷つけることなく、花弁の上に接着剤層を短時間に形成できる。また、接着剤層の上に金箔又は銀箔の小片を貼着させるので、金箔又は銀箔が醸し出す豪華さを、自然に咲いた花の上に簡単に付加させることができる。
よって、本発明によれば、鉢植え胡蝶蘭の特徴である清潔感や気品の高さを保持しつつ、さらに豪華さを備えた鉢植え胡蝶蘭を短時間で製造することができる。
【００１７】
なお、花弁に金箔又は銀箔からなる装飾部が部分的に施されている白花の鉢植え胡蝶蘭の製造方法であって、前記金箔又は銀箔からなる装飾部は、その花弁の表面にスプレー糊を噴霧して薄膜状の接着剤層を形成した後に、前記接着剤層の上に前記金箔又は銀箔の小片を部分的に貼着させて形成することによって、白花の清潔感や気品の高さと金箔又は銀箔の豪華さとを、より一層調和させることができる。
【００１８】
（５）（４）に記載された鉢植え胡蝶蘭の製造方法において、
前記金箔又は銀箔の小片は、人差し指又は中指の第１関節上部の指腹部表面に付着させてから前記接着剤層に貼着させることを特徴とする。
【００１９】
本発明においては、金箔又は銀箔の小片は、人差し指又は中指の第１関節上部の指腹部表面に付着させてから接着剤層に貼着させるので、金箔又は銀箔の小片を指腹部の指紋によって吸着させることができ、また、指腹部の弾力を用いて金箔又は銀箔の小片を接着剤層に軽く押し付けるだけで、金箔又は銀箔の小片を指腹部から簡単に離脱させ、接着剤層に簡単に貼着させることができる。
【００２０】
なお、金箔又は銀箔の小片を、例えば、筆又は刷毛を用いて接着剤層に貼着させようとすると、筆又は刷毛に接着剤がこびり付いて、金箔又は銀箔を筆又は筆又は刷毛からうまく離脱させることができない。これに対して、指腹部の場合には、接着剤が付着する可能性があるが、その接着剤は、他の指等で簡単にふき取ることができるので、次にその指腹部に金箔又は銀箔を付着させても、当該指腹部から金箔又は銀箔を簡単に離脱させ、接着剤層に簡単に貼着させることができる。
【００２１】
（６）（４）又は（５）に記載された鉢植え胡蝶蘭の製造方法において、
前記接着剤層の上に前記金箔又は銀箔の小片を部分的に貼着させた後に、前記金箔又は銀箔の上から速乾性のセット樹脂成分を含むヘアスプレーを噴霧して、前記接着剤層及び前記金箔又は銀箔を薄膜状の透明な速乾性の被覆層によって被覆することを特徴とする。
【００２２】
本発明においては、接着剤層の上に金箔又は銀箔の小片を部分的に貼着させた後に、金箔又は銀箔の上から速乾性のセット樹脂成分を含むヘアスプレーを噴霧して、接着剤層及び金箔又は銀箔を薄膜状の透明な速乾性の被覆層によって被覆するので、被覆層の表面は乾燥してサラサラしておりべとつくことがない。そのため、出荷時に花に被せる紙袋が金箔又は銀箔からなる装飾部に張り付いて、花を傷つけることはない。また、紙袋が金箔又は銀箔を花弁から離脱させる恐れも回避できる。その結果、花弁に金箔又は銀箔からなる装飾部が部分的に施されている鉢植え胡蝶蘭を、傷つけることなく、顧客のニーズに合わせて迅速に出荷することができる。
【発明の効果】
【００２３】
本発明によれば、鉢植え胡蝶蘭の特徴である清潔感や気品の高さを保持しつつ、さらに豪華さを備えた鉢植え胡蝶蘭、及びその鉢植え胡蝶蘭を短時間で製造できる製造方法を提供することができる。
【図面の簡単な説明】
【００２４】
【図１】本実施形態に係る鉢植え胡蝶蘭の斜視図である。
【図２】図１に示す鉢植え胡蝶蘭において、金箔又は銀箔からなる装飾部を施した花弁の拡大図である。
【図３】図２に示すＡ―Ａ断面において、花弁の表面に金箔又は銀箔からなる装飾部を形成する手順を表す模式図である。図３（ａ）は花弁にスプレー糊を噴霧して接着剤層を形成するステップの模式図であり、図３（ｂ）は接着剤層の上に金箔又は銀箔を指で貼着させるステップの模式図であり、図３（ｃ）は接着剤層及び金箔又は銀箔の上からヘアスプレーを噴霧して被覆層を形成するステップの模式図である。
【図４】特許文献１に記載された鉢植え植物の花に着色するときの斜視図である。
【発明を実施するための形態】
【００２５】
以下、本発明に係る実施形態について、図面を参照して詳細に説明する。
はじめに、本実施形態に係る鉢植え胡蝶蘭の構造を詳細に説明する。次に、本実施形態に係る鉢植え胡蝶蘭における花弁に金箔又は銀箔からなる装飾部を形成する手順を説明する。
【００２６】
＜本鉢植え胡蝶蘭の構造＞
まず、本実施形態に係る鉢植え胡蝶蘭の構造を、図１〜図３を用いて詳細に説明する。図１に、本実施形態に係る鉢植え胡蝶蘭の斜視図を示す。図２に、図１に示す鉢植え胡蝶蘭において、金箔又は銀箔からなる装飾部を施した花弁の拡大図を示す。図３に、図２に示すＡ―Ａ断面において、花弁の表面に金箔又は銀箔からなる装飾部を形成する手順を表す模式図を示す。図３（ａ）は花弁にスプレー糊を噴霧して接着剤層を形成するステップの模式図を示し、図３（ｂ）は接着剤層の上に金箔又は銀箔を指で貼着させるステップの模式図を示し、図３（ｃ）は接着剤層及び金箔又は銀箔の上からヘアスプレーを噴霧して被覆層を形成するステップの模式図を示す。
【００２７】
図１〜図３に示すように、本実施形態に係る鉢植え胡蝶蘭２０は、白色の花１の鉢植え胡蝶蘭であって、その花弁１１には、金箔又は銀箔３からなる装飾部１０が部分的に施されている。本鉢植え胡蝶蘭２０は、鉢９に植えた株から複数の茎部６が上方へ伸びて先端は斜め下方へ垂れ下がるように矯正されている。花１は、茎部６の途中から枝分かれした花茎の先端に一輪ずつ付けている。花１を縦列状に複数個付けた茎部６は、添え木７に沿わせた状態で、並列状に複数列配置されている。鉢９の外周は、豪華な金色又は銀色の唐草模様が描かれた飾紙８が巻かれ紅白の組紐で結束されている。なお、本鉢植え胡蝶蘭２０は、出荷時に花１を保護する筒状の紙袋を被せて段ボールの専用ケースに収納する。
【００２８】
また、図２、図３に示すように、花１は、純白を基調とした複数の花弁１１を備えている。花弁１１のうち、左右に広がる側花弁が大きいので、金箔又は銀箔３からなる装飾部１０は、主に側花弁の表面に部分的（例えば、散点状又はラメ糸状）に形成されている。金箔又は銀箔３からなる装飾部１０は、金箔又は銀箔３が薄膜状の接着剤層２を介して花弁１１の表面に貼着されている。接着剤層２は、花弁１１の表面にスプレー糊２２を略均一に噴霧して形成されている。スプレー糊２２は、例えば、合成ゴム系接着剤からなり、合成ゴムとその溶剤であるアクリルゴム有機溶剤等を含む。接着剤層２の膜厚は、数十ミクロン程度である。
【００２９】
また、金箔又は銀箔３からなる装飾部１０は、１つ１つ手作業で形成されているので、同一形状のものは存在しない。各装飾部１０における金箔又は銀箔３は、大小様々の大きさに形成された金箔又は銀箔３の小片を複数枚集合させて形成されている。金箔又は銀箔３の中には、微小片の金箔又は銀箔の他に、微小粒の金粉又は銀粉が含まれていてもよい。また、金箔又は銀箔３からなる装飾部１０は、金箔のみからなる装飾部、銀箔のみからなる装飾部、又は金箔と銀箔からなる装飾部であってもよい。
【００３０】
また、金箔又は銀箔３からなる装飾部１０は、金箔又は銀箔３が薄膜状の透明な速乾性の被覆層５によって保護されている。被覆層５は、ヘアスプレー５２に含まれる速乾性のセット樹脂成分が固化され、透明な薄膜として形成されている。被覆層５の膜厚は、数十ミクロン程度である。被覆層５は、少なくとも接着剤層２及び金箔又は銀箔３を覆うように形成されている。被覆層５は、速乾性のセット樹脂が固化して形成されるので、被覆層５の表面は乾燥してサラサラしておりべとつくことがない。そのため、出荷時に花１に被せる紙袋が金箔又は銀箔３からなる装飾部１０に張り付いて、花１を傷つけることはない。
【００３１】
なお、ヘアスプレー５２は、耐圧容器の中に噴射剤（例えば、ＬＰＧ）と原液が充填されていて、噴射ボタンを押すとバルブが開放されて、噴射剤と原液の混合液が霧状に噴射される。ここで使用するヘアスプレー５２の原液には、少なくとも、髪をコーティングする速乾性のセット樹脂（例えば、アクリル酸アルキルコポリマーＡＭＰ）と、そのセット樹脂を溶かし込むアルコール（例えば、エタノール）とが含まれている。ヘアスプレー５２を噴霧すると、アルコールが揮発して速乾性のセット樹脂が薄膜状に短時間（２〜３秒程度）で固化され、速乾性の被覆層５を形成する。
【００３２】
＜金箔又は銀箔からなる装飾部を形成する手順＞
次に、本実施形態に係る鉢植え胡蝶蘭における花弁に金箔又は銀箔からなる装飾部を形成する手順を、図３を用いて説明する。図３に、図２に示すＡ―Ａ断面において、花弁の表面に金箔又は銀箔からなる装飾部を形成する手順を表す模式図を示す。図３（ａ）は花弁にスプレー糊を噴霧して接着剤層を形成するステップの模式図を示し、図３（ｂ）は接着剤層の上に金箔又は銀箔を指で貼着させるステップの模式図を示し、図３（ｃ）は接着剤層及び金箔又は銀箔の上からヘアスプレーを噴霧して被覆層を形成するステップの模式図を示す。
【００３３】
まず、図３（ａ）に示すように、花弁１１の表面にスプレー糊２２を噴霧して接着剤層２を形成する。スプレー糊２２を噴霧するノズル２１は、花弁１１の表面から１０〜２０ｃｍ程度離して、接着剤層２の膜厚が数十ミクロン程度となるように、ノズル２１の向きを変化させながら、１〜２秒程度の間、開放する。スプレー糊２２の塊を花弁１１の上に形成させないためである。接着剤層２は、花弁１１のうち、中心部にある唇部を避けて、主に、左右に広がる側花弁に形成する。接着剤層２は、金箔又は銀箔３を張り付ける範囲より、少し広めに形成する。
【００３４】
次に、図３（ｂ）に示すように、接着剤層２の上に金箔又は銀箔３を指で貼着させる。大小様々な大きさの金箔又は銀箔３を接着剤層２に複数枚貼着させることによって、花弁１１の表面に金箔又は銀箔３からなる装飾部１０を任意の大きさに形成する。金箔又は銀箔３は、例えば、一般に市販されている食用又は装飾用のケース３１に入った金箔又は銀箔３の小片をそのまま使用する。金箔又は銀箔３の大きさは、数ｍｍ程度である。
【００３５】
また、金箔又は銀箔３の小片は、人差し指又は中指の第１関節上部の指腹部４の表面に付着させてから接着剤層２に貼着させる。このとき、金箔又は銀箔３の小片を指腹部４の指紋によって吸着させることができ、また、指腹部４の弾力を用いて金箔又は銀箔３の小片を接着剤層２に軽く押し付けるだけで、金箔又は銀箔３の小片を指腹部４から簡単に離脱させ、接着剤層２に簡単に貼着させることができる。
【００３６】
次に、図３（ｃ）に示すように、接着剤層２及び金箔又は銀箔３の上からヘアスプレー５２を噴霧して被覆層５を形成する。ヘアスプレー５２を噴霧するノズル５１は、花弁１１の表面から２０〜３０ｃｍ程度離して、被覆層５の膜厚が数十ミクロン程度となるように、ノズル５１の向きを変化させながら１〜２秒程度の間、開放する。ヘアスプレー５２の原液には、少なくとも、髪をコーティングする速乾性のセット樹脂（例えば、アクリル酸アルキルコポリマーＡＭＰ）と、そのセット樹脂を溶かし込むアルコール（例えば、エタノール）とが含まれているので、ヘアスプレー５２を噴霧すると、アルコールが揮発して速乾性のセット樹脂が薄膜状に短時間（２〜３秒程度）で固化され、速乾性の被覆層５を形成する。接着剤層２及び金箔又は銀箔３は、速乾性のセット樹脂が薄膜状に固化された速乾性の被覆層５によって覆われているので、例えば、ドライヤー等によって乾燥させなくても、べとつくことがない。
【００３７】
したがって、上記手順によれば、花弁１１の表面に部分的に形成された金箔又は銀箔３からなる装飾部１０を備えた鉢植え胡蝶蘭２０には、金箔又は銀箔３を貼着させる接着剤層２の乾燥を待つことなく、直ちに花１を保護する紙袋を被せ、所定の専用ケースに梱包して、出荷することができる。本鉢植え胡蝶蘭２０を搬送中において、紙袋が花１に付着して花１を傷つける恐れを回避でき、また、紙袋が金箔又は銀箔３を花弁１１から離脱させる恐れも回避できる。その結果、花弁１１に金箔又は銀箔３からなる装飾部１０が部分的に施されている鉢植え胡蝶蘭２０を、傷つけることなく、顧客のニーズに合わせて迅速に提供することができる。
【００３８】
＜作用効果＞
以上詳細に説明したように、本実施形態に係る鉢植え胡蝶蘭２０によれば、鉢植え胡蝶蘭２０であって、その花弁１１には、金箔又は銀箔３からなる装飾部１０が部分的に施されているので、自然に咲いた花１の色をそのまま生かすことによって、鉢植え胡蝶蘭２０の特徴である清潔感や気品の高さを保持させることができる。また、その花弁１１には、金箔又は銀箔３からなる装飾部１０が部分的に施されているので、金箔又は銀箔３が醸し出す豪華さを、鉢植え胡蝶蘭２０の特徴である清潔感や気品の高さと調和させながら、鉢植え胡蝶蘭２０の花１に付加させることができる。
【００３９】
よって、本実施形態によれば、鉢植え胡蝶蘭２０の特徴である清潔感や気品の高さを保持しつつ、さらに豪華さを備えた鉢植え胡蝶蘭２０を提供することができる。なお、本実施形態に係る鉢植え胡蝶蘭２０は、白花の鉢植え胡蝶蘭であって、その花弁１１には、金箔又は銀箔３からなる装飾部１０が部分的に施されていることによって、白花の清潔感や気品の高さと金箔又は銀箔３の豪華さとを、より一層調和させることができる。
【００４０】
また、本実施形態によれば、金箔又は銀箔３からなる装飾部１０は、金箔又は銀箔３が花弁１１の表面に形成された薄膜状の接着剤層２を介して花弁１１の表面に貼着されているので、大小様々な金箔又は銀箔３を接着剤層２に複数枚貼着させることによって、花弁１１の表面に金箔又は銀箔３からなる装飾部１０を任意の大きさに形成することができる。そのため、金箔又は銀箔３からなる装飾部１０の大小を、用途や顧客のニーズに応じて、自由に変更させることができる。
【００４１】
また、本実施形態によれば、金箔又は銀箔３からなる装飾部１０の大小を、用途や顧客のニーズに応じて変化させても、大小様々な金箔又は銀箔３を接着剤層２に複数枚貼着させることによって、花弁１１の表面に金箔又は銀箔３からなる装飾部１０を任意の大きさに形成することができるのであるから、予め金箔又は銀箔３を所定の大きさに切断しておく必要がなく、簡便である。例えば、一般に市販されている食用又は装飾用のケースに入った大小様々な金箔又は銀箔３をそのまま適用することができる。
【００４２】
また、本実施形態によれば、金箔又は銀箔３からなる装飾部１０は、金箔又は銀箔３が薄膜状の透明な速乾性の被覆層５によって保護されているので、例えば、出荷後の移送中又は観賞中において、金箔又は銀箔３が花弁１１から離脱する恐れを回避できる。そのため、鉢植え胡蝶蘭２０の特徴である清潔感や気品の高さを保持しつつ、さらに豪華さを備えた状態を、長期間維持することができる。
【００４３】
また、他の実施形態に係る本鉢植え胡蝶蘭２０の製造方法によれば、金箔又は銀箔３からなる装飾部１０は、その花弁１１にスプレー糊２２を噴霧して薄膜状の接着剤層２を形成した後に、接着剤層２の上に金箔又は銀箔３の小片を部分的に貼着させて形成するので、自然に咲いた花１の色をそのまま生かしたことによって、鉢植え胡蝶蘭２０の特徴である清潔感や気品の高さを保持させることができる。また、その花弁１１にスプレー糊２２を噴霧して薄膜状の接着剤層２を形成するので、花弁１１を傷つけることなく、花弁１１の上に接着剤層２を短時間に形成できる。また、接着剤層２の上に金箔又は銀箔３の小片を貼着させるので、金箔又は銀箔３が醸し出す豪華さを、自然に咲いた花１の上に簡単に付加させることができる。
【００４４】
よって、他の実施形態に係る本鉢植え胡蝶蘭２０の製造方法によれば、鉢植え胡蝶蘭２０の特徴である清潔感や気品の高さを保持しつつ、さらに豪華さを備えた鉢植え胡蝶蘭２０を短時間で製造することができる。
【００４５】
なお、他の実施形態に係る本鉢植え胡蝶蘭２０の製造方法は、花弁１１に金箔又は銀箔３からなる装飾部１０が部分的に施されている白花の鉢植え胡蝶蘭２０の製造方法であって、金箔又は銀箔３からなる装飾部１０は、その花弁１１の表面にスプレー糊２２を噴霧して薄膜状の接着剤層２を形成した後に、接着剤層２の上に金箔又は銀箔３の小片を部分的に貼着させて形成することによって、白花の清潔感や気品の高さと金箔又は銀箔３の豪華さとを、より一層調和させることができる。
【００４６】
また、他の実施形態によれば、金箔又は銀箔３の小片は、人差し指又は中指の第１関節上部の指腹部４の表面に付着させてから接着剤層２に貼着させるので、金箔又は銀箔３の小片を指腹部４の指紋によって吸着させることができ、また、指腹部４の弾力を用いて金箔又は銀箔３の小片を接着剤層２に軽く押し付けるだけで、金箔又は銀箔３の小片を指腹部４から簡単に離脱させ、接着剤層２に簡単に貼着させることができる。
【００４７】
なお、金箔又は銀箔３の小片を、例えば、筆又は刷毛を用いて接着剤層２に貼着させようとすると、筆又は刷毛に接着剤がこびり付いて、金箔又は銀箔３を筆又は筆又は刷毛からうまく離脱させることができない。これに対して、指腹部４の場合には、接着剤が付着する可能性があるが、その接着剤は、他の指等で簡単にふき取ることができるので、次にその指腹部４に金箔又は銀箔３を付着させても、当該指腹部４から金箔又は銀箔３を簡単に離脱させ、接着剤層２に簡単に貼着させることができる。
【００４８】
また、他の実施形態によれば、接着剤層２の上に金箔又は銀箔３の小片を部分的に貼着させた後に、金箔又は銀箔３の上から速乾性のセット樹脂成分を含むヘアスプレー５２を噴霧して、接着剤層２及び金箔又は銀箔３を薄膜状の透明な速乾性の被覆層５によって被覆するので、被覆層５の表面は乾燥してサラサラしておりべとつくことがない。そのため、出荷時に花１に被せる紙袋が金箔又は銀箔３からなる装飾部１０に張り付いて、花１を傷つけることはない。また、紙袋が金箔又は銀箔３を花弁１１から離脱させる恐れも回避できる。その結果、花弁１１に金箔又は銀箔３からなる装飾部１０が部分的に施されている鉢植え胡蝶蘭２０を、傷つけることなく、顧客のニーズに合わせて迅速に出荷することができる。
【００４９】
＜変形例＞
なお、本実施形態は、本発明の要旨を変更しない範囲で変更することが可能なことは言うまでもない。例えば、他の実施形態に係る本鉢植え胡蝶蘭２０の製造方法によれば、金箔又は銀箔３の小片は、人差し指又は中指の第１関節上部の指腹部４の表面に付着させて接着剤層２に貼着させるが、金箔又は銀箔３を接着剤層２に貼着させる手段として、必ずしも、指を用いる必要はない。例えば、ケース３１に入れた金箔又は銀箔３の小片をエアー等で吹き付けて接着剤層２に貼着させてもよい。
【産業上の利用可能性】
【００５０】
本発明は、鑑賞性に優れた鉢植え胡蝶蘭及びその製造方法として、詳しくは、花弁に金箔又は銀箔等からなる装飾部を施した鉢植え胡蝶蘭及びその製造方法として利用できる。
【符号の説明】
【００５１】
１              花
２              接着剤層
３              金箔又は銀箔
４              指腹部
５              被覆層
６              茎部
９              鉢
１０            装飾部
１１            花弁
２０            鉢植え胡蝶蘭
２２            スプレー糊
５２            ヘアスプレー
【図１】
0006325021.tif 000002
【図２】
0006325021.tif 000003
【図３】
0006325021.tif 000004
【図４】
0006325021.tif 000005